(57)【要約】【課題】輻射電気ヒーターへの蒸気の蓄積が抑えられ、一定以上の絶縁抵抗を確保することができるようにする。【解決手段】制御部２６は、湿度センサー１６の検査結果と操作部２５から入力された条件に応じて、高周波発振器２７、輻射電気ヒーターであるグリルヒーター２０、下部ヒーター３１の制御も行う。すなわち、高周波発振器２７を一定時間駆動した後、あるいは湿度センサー１６の検知による加熱室内の湿度が、一定値を超えた場合、高周波発振器２７を駆動しながら一定の周期で所定時間だけグリルヒーター２０に通電する。【選択図】　　　　　図２
2004100987.tif 000002
【特許請求の範囲】
【請求項１】
上部に貫通穴を設けた加熱室と、断熱材からなるベースと前記ベースの前記一方側に載置され熱を生じる発熱部材とを含む前記貫通穴の上方に設置された輻射電気ヒーターと、前記加熱室内に高周波を供給する高周波発振器と、各部の動作を制御する制御部とを備え、
前記制御部は、前記高周波発振器を駆動しながら所定時間だけ前記輻射電気ヒーターに通電することを、一定の周期で繰り返すことを特徴とする輻射電気ヒーター付き電子レンジ。
【請求項２】
上部に貫通穴を設けた加熱室と、断熱材からなるベースと前記ベースの前記一方側に載置され熱を生じる発熱部材とを含む前記貫通穴の上方に設置された輻射電気ヒーターと、前記加熱室内に高周波を供給する高周波発振器と、各部の動作を制御する制御部とを備え、
前記制御部は、所定時間だけ前記高周波発振器を所定停止し、前記高周波発振器が停止している間、前記輻射電気ヒーターに通電することを、一定の周期で繰り返すことを特徴とする輻射電気ヒーター付き電子レンジ。
【請求項３】
前記制御部は、高周波発振が停止している間、高周波発振停止時間より短い時間で前記輻射電気ヒーターに通電することを特徴とする請求項２記載の輻射電気ヒーター付き電子レンジ。
【請求項４】
上部に貫通穴を設けた加熱室と、該貫通穴の上方に設置した輻射電気ヒーターと、前記加熱室内に高周波を供給する高周波発振器と、各部の動作を制御する制御部とを備え、
前記制御部は、全調理時間を複数の段階に区分けし、輻射電気ヒーター通電段階で、
（ａ）前記高周波発振器を駆動しながら一定の周期で所定時間だけ前記輻射電気ヒーターに通電すること、
（ｂ）一定の周期で所定時間だけ前記高周波発振器を短時間停止し、前記高周波発振器が停止している間、前記輻射電気ヒーターに通電すること、
のいずれかを選択して制御を行うことを特徴とする輻射電気ヒーター付き電子レンジ。
【請求項５】
前記制御部は、前記高周波発振器を一定時間駆動した後、前記輻射電気ヒーターの通電制御を行うことを特徴とする請求項１から４のいずれかに記載の輻射電気ヒーター付き電子レンジ。
【請求項６】
前記加熱室内の湿度を監視する湿度センサーを備え、
前記制御部は、前記湿度センサーの検知による前記加熱室内の湿度が、一定値を超えた場合に、前記輻射電気ヒーターの通電制御を行うことを特徴とする請求項１から４のいずれかに記載の輻射電気ヒーター付き電子レンジ。
【発明の詳細な説明】
【０００１】
【発明の属する技術分野】
本発明は、高周波発振器と輻射電気ヒータを備え、両方を用いて加熱調理を行う輻射電気ヒーター付き電子レンジに関する。
【０００２】
【従来の技術】
近年、高周波発振器と輻射電気ヒーターを備え、両方を用いて加熱調理を行う輻射電気ヒーター付き電子レンジが普及している。
図１７は従来の輻射電気ヒーター付き電子レンジを示す斜視図である。電子レンジ５０の本体１１に設けられた加熱室１２の上部に、貫通穴であるパンチング穴１３を設け、そこ輻射電気ヒーターであるグリルヒーター２０を設置する。グリルヒーター調理時には、パンチング穴１３を通して加熱室１２内に輻射加熱される。操作部２５は、使用者が、加熱調理モードや調理時間等を入力するためのものである。
【０００３】
高周波調理時に被加熱物から発せられる水蒸気の一部は、加熱室１２の上部のこのパンチング穴１３からグリルヒーター２０側に入り込む。従来のグリルヒーター付き電子レンジにおける高周波加熱調理モードでは、高周波発振器及び付随の冷却ファン、ターンテーブルなどの制御運転をしている。
【０００４】
図１８はグリルヒーターを示す構造図であり、（ａ）は正面図、（ｂ）は平面図である。
このグリルヒーター２０は金属容器２１に圧縮した微孔性及び／又は電気絶縁材料からなる基部又は基層２２を設け、この基部上に（又は隣接して）輻射電気発熱エレメント２３が支持されている。
輻射電気ヒーターであるグリルヒーター２０の基部又は基層２２は吸湿性／吸水性が高く、長時間または短時間であっても繰り返し長時間水蒸気にさらされた場合、吸湿した水蒸気の一部は蓄積される。グリルヒーター加熱を頻繁に行わず、高周波加熱調理だけを長時間続けた場合、基部または基層２２に水蒸気が蓄積することによって絶縁抵抗が低下する場合がある。特に、断熱材からなるベース（基部）と、前記ベースの前記一方側に載置され熱を生じる発熱部材（輻射電気発熱エレメント）とを含む構成にしても、十分に水蒸気の蓄積を防止できない。この場合、金属容器２１と輻射電気発熱エレメント２３の間で絶縁不良となり漏洩電流が増大するおそれがあった。
【０００５】
そこで、これを改善するものが開示されている。
特開平７−１１９９７３号公報（特許文献１参照）には、加熱室に高周波を供給する高周波発振器、熱風を供給する循環ファン、複数のヒーター等を備えた高周波加熱装置が開示されており、これらヒーターにより高周波調理時の庫内の結露が防止される。
高周波による調理モードにおいて、ヒーターの一部と熱風循環ファンを複数のステージに分けて動作させ、第１ステージはヒーターの一部と循環ファンを共にＯＦＦとし、第２ステージ以降はヒーターの一部と循環ファンのパワーをコントロールしながら動作させるものである。又は、このヒーターの一部を加熱室上部に設けたグリルヒーターとし、ヒーターが赤くならない程度に動作させ、循環ファンのパワーをコントロールしながら動作させるものである。
【０００６】
また、特開平６−１８５７３４号公報（特許文献２参照）には、加熱室に高周波を供給する高周波発振器、熱風を供給する循環ファンとヒーターを有するヒーターユニット等を備えたヒーター付き電子レンジが開示されており、ドア周辺部やヒーターユニット内部などへの水蒸気の結露を防止する。マイクロ波加熱途中またはマイクロ波加熱終了後の所定期間、ヒーターに連続的或いは断続的に通電するものである。
【０００７】
【特許文献１】
特開平７−１１９９７３号公報（段落番号［０００６］〜［００１１］、図１および図２）
【特許文献２】
特開平６−１８５７３４号公報（段落番号［００２４］［００２５］、図１）
【０００８】
【発明が解決しようとする課題】
しかし、いずれの技術においても、輻射電気ヒーターへの蓄積を抑えるために加熱を輻射電気ヒーターへの通電を行っているが、消費電力への配慮が全くなされていない。したがって、十分な蒸気の蓄積防止のために、必要以上の電力を消費していた。
【０００９】
本発明の目的は、輻射電気ヒーターへの蒸気の蓄積が抑えられ、一定以上の絶縁抵抗を確保することができ、消費電力が少なくて済む輻射電気ヒーター付き電子レンジを提供することにある。
【００１０】
【課題を解決するための手段】
本発明はこの欠点を解決するものであり、以下の特徴を有する。
すなわち、本発明は、上部に貫通穴を設けた加熱室と、断熱材からなるベースと前記ベースの前記一方側に載置され熱を生じる発熱部材とを含む前記貫通穴の上方に設置された輻射電気ヒーターと、前記加熱室内に高周波を供給する高周波発振器と、各部の動作を制御する制御部とを備え、
前記制御部は、前記高周波発振器を駆動しながら所定時間だけ前記輻射電気ヒーターに通電することを、一定の周期で繰り返すことを特徴とする輻射電気ヒーター付き電子レンジである。
【００１１】
また、本発明は、　上部に貫通穴を設けた加熱室と、断熱材からなるベースと前記ベースの前記一方側に載置され熱を生じる発熱部材とを含む前記貫通穴の上方に設置された輻射電気ヒーターと、前記加熱室内に高周波を供給する高周波発振器と、各部の動作を制御する制御部とを備え、
前記制御部は、所定時間だけ前記高周波発振器を所定停止し、前記高周波発振器が停止している間、前記輻射電気ヒーターに通電することを、一定の周期で繰り返すことを特徴とする輻射電気ヒーター付き電子レンジである。
ここで、前記制御部は、高周波発振が停止している間、高周波発振停止時間より短い時間で前記輻射電気ヒーターに通電してもよい。
【００１２】
また、本発明は、上部に貫通穴を設けた加熱室と、該貫通穴の上方に設置した輻射電気ヒーターと、前記加熱室内に高周波を供給する高周波発振器と、各部の動作を制御する制御部とを備え、
前記制御部は、全調理時間を複数の段階に区分けし、輻射電気ヒーター通電段階で、
（ａ）前記高周波発振器を駆動しながら一定の周期で所定時間だけ前記輻射電気ヒーターに通電すること、
（ｂ）一定の周期で所定時間だけ前記高周波発振器を短時間停止し、前記高周波発振器が停止している間、前記輻射電気ヒーターに通電すること、
のいずれかを選択して制御を行うことを特徴とする輻射電気ヒーター付き電子レンジである。
【００１３】
本発明の輻射電気ヒーター付き電子レンジは、前記制御部が、前記高周波発振器を一定時間駆動した後、前記輻射電気ヒーターの通電制御を行ってもよい。
また、本発明の輻射電気ヒーター付き電子レンジは、前記加熱室内の湿度を監視する湿度センサーを備え、前記制御部が、前記湿度センサーの検知による前記加熱室内の湿度が一定値を超えた場合に、前記輻射電気ヒーターの通電制御を行ってもよい。
【００１４】
本発明において、一回の調理でグリルパンチング５からヒーター側に侵入する水蒸気の量は少ないため、グリルヒーターに周期的に短時間通電することによって輻射電気ヒーターの基部又は基層を乾燥させ、長時間繰り返し調理しても絶縁が保持される。
【００１５】
【発明の実施の形態】
以下、発明の実施の形態について図面を参照しながら説明する。
図１は、本発明に係る輻射電気ヒーター付き電子レンジの構成図である。この電子レンジ１０は、図１７の電子レンジ５０と構造がほぼ同じであるので、共通部分には同一符合を付し、説明は省略する。電子レンジ１０の加熱室１２の底部には、下部ヒータ３１が設置されている。加熱室１２の壁面には湿度センサー１６が設置されている。
【００１６】
図２は、本発明に係る輻射電気ヒーター付き電子レンジのブロック図である。この電子レンジは、加熱動作部分、すなわち高周波発振器２７、輻射電気ヒーターであるグリルヒーター２０、下部ヒーター３１がそれぞれ制御部２６により制御されている。また、制御部２６は、湿度センサー１６の検査結果と操作部２５から入力された条件に応じて、加熱動作部分の制御も行う。
【００１７】
次に、この電子レンジ１０の制御部２６の制御手順について説明する。
この制御手順は、グリルヒーター２０を使用しない加熱調理モードの場合のものである。
【００１８】
＜第１の制御手順＞
図３は、制御部２６の第１の制御手順を示すフローチャートである。第１の制御手順の特徴は、湿度センサー１６は使用せず、運転開始から一定時間経過後、高周波発振器２７をＯＮしながら、一定周期でグリルヒーター２０をＯＮ／ＯＦＦすることである。
【００１９】
使用者は、加熱調理モードと、調理時間Ｔを操作部２５から入力する（ステップＳ１）。加熱調理モードは、高周波加熱調理モードと同時加熱モードの２種類があり、高周波加熱モードは高周波発振器２７のみを用いて加熱処理を行うモードであり、同時加熱モードは高周波発振器２７と下部ヒーター３１を併用するモードである。操作部２５からの入力項目としては、上記のほかに、加熱対象の材料や料理の種類等である。
【００２０】
制御部２６は、操作部２５から入力された項目に基づいて、高周波発振器２７に通電してからグリルヒーター２０に通電するまでの時間ｔ１、グリルヒーター２０に通電する周期ｔ２、グリルヒーター２０への通電時間ａを求めて設定する（ステップＳ２）。入力項目に応じて、各時間を求める条件は、あらかじめメモリ等に記憶されており、制御部２６は、それら条件を読み出して各時間を求める。さらに、制御部２６は、これら設定時間に基づいて、一定周期で行うグリルヒーター２０の通電回数を求める（ステップＳ３）。
【００２１】
制御部２６は、加熱調理モードが高周波加熱であるか、同時加熱であるかを確認する（ステップＳ４）。高周波加熱の場合は、ステップＳ６に進んで高周波発振器２７をＯＮする。同時加熱の場合は、ステップＳ５，Ｓ６と進んで、下部ヒーター３１と高周波発振器２７をＯＮする。
【００２２】
制御部２６は、時間ｔ１を経過したかを確認して（ステップＳ７）、時間ｔ１を経過した時点でグリルヒーター２０をＯＮする（ステップＳ８）。グリルヒーター通電時間ａを経過したかを確認し（ステップＳ９）、経過した時点でグリルヒーター２０をＯＦＦする（ステップＳ１０）。
【００２３】
次に、ステップＳ３で設定したグリルヒーター通電回数を確認し（ステップＳ１１）、通電回数に達していなければ、グリルヒーター通電周期である時間ｔ２を経過した時点でステップＳ８に戻る（ステップＳ１２）。通電回数に達すれば、調理時間Ｔを経過した時点で（ステップＳ１３）、加熱調理を終了する。
【００２４】
＜第２の制御手順＞
図４は、制御部２６の第２の制御手順を示すフローチャートである。この制御手順の特徴は、湿度センサー１６は使用せず、運転開始から一定時間経過後、一定周期で高周波発振器をＯＮ／ＯＦＦしながら、高周波発振器２７が停止している間、グリルヒーター２０をＯＮにすることである。
【００２５】
使用者は、加熱調理モードと、調理時間Ｔを操作部２５から入力する（ステップＳ２１）。操作部２５からの入力項目としては、上記のほかに、加熱対象の材料や料理の種類等である。
【００２６】
制御部２６は、操作部２５から入力された項目に基づいて、グリルヒーター２０に通電する周期ｔ２、グリルヒーター２０への通電時間ａ、高周波発振器２７の停止時間ｂを求めて設定する（ステップＳ２２）。入力項目に応じて、各時間を求める条件は、あらかじめメモリ等に記憶されており、制御部２６は、それら条件を読み出して各時間を求める。
ステップＳ２３〜Ｓ２７は、図３のステップＳ３〜Ｓ７と同じであり、説明は省略する。
【００２７】
高周波発振器２７が駆動されてから時間ｔ１が経過した時点で、高周波発振器２７を停止する（ステップＳ２８）。そして、グリルヒーター２０をＯＮする（ステップＳ２９）。グリルヒーター２０の通電時間ａが経過した時点で（ステップＳ３０）、グリルヒーター２０をＯＦＦする（ステップＳ３１）。高周波発振器２７の停止時間ｂが経過した時点で（ステップＳ８）、高周波発振器２７をＯＮする（ステップＳ３３）。ここで、ａ＝ｂでもよいし、ａ＜ｂでもよい。
ステップＳ３４〜Ｓ３６は、図３のステップＳ１１〜Ｓ１３と同じであるので、詳しい説明は省略する。
【００２８】
＜第３の制御手順＞
図５は、制御部２６の第３の制御手順を示すフローチャートである。この制御手順の特徴は、湿度センサー１６を使用して、湿度が所定値を超えた時点で、高周波発振器２７をＯＮしながら、一定周期でグリルヒーター２０をＯＮ／ＯＦＦすることである。
【００２９】
使用者は、加熱調理モードと、調理時間Ｔを操作部２５から入力する（ステップＳ４１）。操作部２５からの入力項目としては、上記のほかに、加熱対象の材料や料理の種類等がある。
制御部２６は、操作部２５から入力された項目に基づいて、グリルヒーター２０に通電する周期ｔ２、グリルヒーター２０への通電時間ａを求めて設定する（ステップＳ４２）。入力項目に応じて、各時間を求める条件は、あらかじめメモリ等に記憶されており、制御部２６は、それら条件を読み出して各時間を求める。
【００３０】
制御部２６は、加熱調理モードが高周波加熱であるか、同時加熱であるかを確認する（ステップＳ４３）。高周波加熱の場合は、ステップＳ４５に進んで高周波発振器２７をＯＮする。同時加熱の場合は、ステップＳ４４，Ｓ４５と進んで、下部ヒーター３１と高周波発振器２７をＯＮする。
【００３１】
制御部２６は、湿度センサー１６の検出値があらかじめ設定した所定値を超えたかを判定する。超えた場合、調理時間Ｔと通電周期ｔ２からグリルヒーター２０の通電回数を求める（ステップＳ４７）。これ以降のステップＳ４８〜Ｓ５３は、図３に示した第１の制御手順のステップＳ８〜Ｓ１３と同じなので説明は省略する。
【００３２】
＜第４の制御手順＞
図６は、制御部２６の第４の制御手順を示すフローチャートである。この制御手順の特徴は、湿度センサー１６を使用して、湿度が所定値を超えた時点で、一定周期で高周波発振器２７をＯＮ／ＯＦＦしながら、高周波発振器２７が停止している間、グリルヒーター２０をＯＮにすることである。
【００３３】
使用者は、加熱調理モードと、調理時間Ｔを操作部２５から入力する（ステップＳ６１）。操作部２５からの入力項目としては、上記のほかに、加熱対象の材料や料理の種類等があってもよい。
【００３４】
制御部２６は、操作部２５から入力された項目に基づいて、グリルヒーター２０に通電する周期ｔ２、グリルヒーター２０への通電時間ａ、高周波発振器２７の停止時間ｂを求めて設定する（ステップＳ６２）。入力項目に応じて、各時間を求める条件は、あらかじめメモリ等に記憶されており、制御部２６は、それら条件を読み出して各時間を求める。
【００３５】
図６に示すステップＳ６３〜Ｓ６７は、図５に示した第３の制御手順のステップＳ４３〜Ｓ４７、ステップＳ６８〜Ｓ７６は、図４に示した第２の制御手順のステップＳ２８〜Ｓ３６と同じなので説明は省略する。
【００３６】
＜第５の制御手順＞
図７〜図１０は、制御部２６の第５の制御手順を示すフローチャートである。この制御手順の特徴は、調理時間を複数の段階に区分けし、各段階で設定した制御手順でそれぞれ制御を行うことである。
【００３７】
図７は、第５の制御手順の主要手順を示すフローチャートである。
使用者は、加熱調理モードと、調理時間Ｔを操作部２５から入力する（ステップＳ８１）。操作部２５からの入力項目としては、上記のほかに、加熱対象の材料や料理の種類等である。
【００３８】
制御部２６は、メモリにあらかじめ記憶していた条件に従って、調理時間Ｔを複数の段階に分け、操作部２５から入力された項目に基づいて、高周波発振器２７に通電してからグリルヒーター２０に通電するまでの時間ｔ１、グリルヒーター２０に通電する周期ｔ２、グリルヒーター２０への通電時間ａを、各段階ごとに求めて設定する（ステップＳ８２）。また、操作部２５から入力された料理種類や材料等のデータに基づいて、下部ヒーター３１に通電する制御についても設定し、これもメモリに記憶しておく。さらに、制御部２６は、これら設定時間に基づいて、一定周期でのグリルヒーター２０の通電回数を求める（ステップＳ８３）。
【００３９】
制御部２６は、加熱調理モードが高周波加熱であるか、同時加熱であるかを確認する（ステップＳ８４）。高周波加熱の場合は、ステップＳ８６に進んで高周波発振器２７をＯＮする。同時加熱の場合は、ステップＳ８５，Ｓ８６と進んで、下部ヒーター３１と高周波発振器２７をＯＮする。
【００４０】
制御部２６は、時間ｔ１を経過したかを確認して（ステップＳ８７）、時間ｔ１を経過した時点で、順にメモリに記憶しておいた各段階での処理設定に基づいて制御を行う（ステップＳ８８）。全段階での制御処理が完了して（ステップＳ８９）、処理を終わる。
【００４１】
図８〜図１０は、ステップＳ８８のサブルーチンを示すフローチャートである。メモリから各段階での制御設定を読み出す（ステップＳ９１）。まず、下部ヒーターをＯＮにするかを確認し（ステップＳ９２）、ＯＮにする場合はステップＳ９３で下部ヒーターをＯＮにし、ＯＮしない場合はステップＳ９４に進む。ステップＳ９４では、高周波発振器２７をＯＮ／ＯＦＦ切換え処理を行うかを確認し、行わないのであれば、図９のステップＳ９５に進み、行うのであれば、図１０のステップＳ１０１に進む。
【００４２】
図９のステップＳ９５〜Ｓ１００は、図３のステップＳ８〜Ｓ１３と同じであり、また、図１０のステップＳ１０１〜Ｓ１０９は、図４のステップＳ２８〜Ｓ３６と同じであるので、詳しい説明は省略する。
図７の制御手順では、一定時間だけ高周波発振器２７を駆動してから、グリルヒーター２０の通電処理を行っているが、第３及び第４の制御手順のように、湿度センサー１６による庫内湿度が所定値を超えた時点で、グリルヒーター２０の通電処理を行ってもよい。
【００４３】
なお、第１〜第５の制御手順においては、制御部２６が、操作部からの入力データに基づいて、上記制御内容を設定するとしたが、使用者が操作部２５から入力するようにしてもよい。
【００４４】
＜具体的制御例＞
次に、上記制御手順を具体化した制御例を説明する。
【００４５】
（１）制御例１
図１１は制御例１のタイミングチャートである。制御例１は、図３に示した第１の制御手順において、高周波加熱モードのものを示している。
高周波発振器２７を運転開始したとき、一定時間ｔ１経過後、自動的に一定の周期ｔ２でグリルヒーター２０に時間ａだけ通電する。高周波発振器２７は調理時間Ｔまで停止することはない。また、時間ａは、時間ｔ１，ｔ２に比較すれば、はるかに短い。
具体的には、図１１に示すように、調理時間１０分設定で運転開始した時、スタートから５分以降３２秒周期で自動的にグリルヒーター２０に２秒間通電する。
【００４６】
こうして、グリルヒーター２０の加熱設定の調理が行われなくても、自動的に一定周期でグリルヒーター２０への短時間通電を繰り返すため、グリルヒーター２０への蒸気の蓄積が抑えられる。
【００４７】
（２）制御例２
図１２は制御例２のタイミングチャートである。制御例２は、図４に示した第２の制御手順において、高周波加熱モードのものを示している。ここで、グリルヒーター通電時間ａと高周波発振器２７の停止時間ｂは等しい。
図１２に示すように、高周波発振器２７をＯＮして運転開始したとき、一定時間ｔ１経過後、自動的に一定の周期ｔ２で、高周波発振器２７を時間ｂだけ停止し、高周波発振器２７が停止している間グリルヒーター２０に時間ａだけ通電する。ａ＝ｂであるので、高周波発振器２７が停止して直ちにグリルヒーター２０が通電され、グリルヒーター２０が停止して直ちに高周波発振器２７が通電される。
【００４８】
例えば、調理時間１０分設定で運転開始した時、スタートから５分以降３２秒周期で自動的に高周波発振器加熱が２秒間停止し、その間、グリルヒーター２０に２秒間通電する。
こうして、高周波発振器２７を停止している間だけ、グリルヒーター２０に通電を行うので、最大消費電力を押えることが出来る。
【００４９】
（３）制御例３
図１３は制御例３のタイミングチャートである。制御例３は、図４に示した第２の制御手順において、高周波加熱モードのものを示している。ここで、グリルヒーター通電時間ａは高周波発振器２７の停止時間ｂより短い。そのため、図１３に示すように、高周波発振器２７を停止して、少し間をおいてグリルヒーター２０をＯＮしても、グリルヒーター２０をＯＦＦしてから高周波発振器２７をＯＮするまで少し余裕がある。
【００５０】
具体的には、調理時間１０分設定で運転開始した時、スタートから５分以降３２秒周期で自動的に高周波発振器２７が３秒間停止し、その停止の間にグリルヒーターに２秒間通電する。
このように、高周波発振中にヒーター通電される事が無く、確実に最大消費電力を押えることが出来る。
【００５１】
（４）制御例４
図１４は制御例４のタイミングチャートである。制御例４は、図４に示した第２の制御手順において、同時加熱モードのものを示している。したがって、下部ヒーター３１が運転開始から調理時間終了まで通電状態にある。それ以外は、制御例３と同じである。
ここでは、図４に示す第２の制御手順における同時加熱モードのものを示したが、図３の第２の制御手順における同時加熱モードでも構わない。従って、例えば、下部ヒーター３１が通電状態の制御例１，２のものも考えられる。
こうして、高周波発振器２７と下部ヒーター３１による同時加熱調理のときも同様に制御することにより、より確実にグリルヒーター２０の絶縁低下を防止出来る。
【００５２】
（５）制御例５
図１５は制御例５のタイミングチャートである。制御例５は、図６に示した第４の制御手順において、高周波加熱モードのものを示している。
高周波発振器２７を運転開始して、湿度センサー１６が検出した湿度が所定値を超えたときに、自動的に一定の周期ｔ２で、高周波発振器２７を時間ｂだけ停止し、高周波発振器２７が停止している間グリルヒーター２０に時間ａだけ通電する。湿度が所定値を超えた以降の制御は、制御例３（図９参照）と同じである。なお、この例では、高周波加熱モードの第４の制御手順であるが、同時加熱モードでも構わないし、第３の制御手順でも構わない。
こうして、加熱室内の湿度によって制御する為、時間によって制御する場合よりもより確実に絶縁低下を防止できる。
【００５３】
（６）制御例６
図１６は制御例６のタイミングチャートである。制御例６は、調理時間Ｔを複数の段階Ｔ１〜Ｔ３に分け、各段階で調理内容に合わせて、制御内容を変更する例である。図７に示した第５の制御手順において、同時加熱モードで高周波発振器２７をＯＮ／ＯＦＦするのものを示している。したがって、下部ヒーター３１が運転開始から調理時間終了まで通電状態である。それ例外は、制御例３と同じである。
【００５４】
図１６に示すように、第１段階調理モード（第１段階処理時間Ｔ１）では一定時間ｔ１で１００％出力高周波加熱調理後に一定周期で高周波発振器２７のＯＮ／ＯＦＦとグリルヒーター通電制御、第２段階調理モード（第１段階処理時間Ｔ２）では一定周期ｔ２で５０％高周波加熱調理とグリルヒーター通電制御、第３段階調理モード（第１段階処理時間Ｔ３）では一定周期で高周波発振器２７のＯＮ／ＯＦＦとグリルヒーター通電制御及び下部ヒーター同時過熱モードを設定しプログラム調理を行う。
【００５５】
第一段階の一定時間Ｔ１を経過し、自動的に一定の周期で輻射電気ヒーターＡに短時間通電する自動制御サイクルに移行した場合、第２、第３段階の調理モードに移行したときは自動制御サイクルは継続する。（輻射電気ヒーターへの短時間自動通電サイクルは図１６のように第１、第２、第３段階が独立しても良いし、第１〜第３まで連続と考え、等間隔としても良い）
第１段階と第３段階の間にグリルヒーター（輻射電気ヒーターＡ）調理運転モードが入った場合は第３段階は輻射電気ヒーターへの短時間通電を省略しても良い。
【００５６】
こうして、第１、第２、第３段階の調理を別個の調理と考え制御した場合、第１段階で蒸気が発生したとき、第２段階に移行してから更に一定時間輻射電気ヒーターに短時間通電サイクルが途切れ、その間輻射電気ヒーターに蒸気が蓄積する可能性が有るが、この可能性を改善できる。
【００５７】
【発明の効果】
本発明によれば、長時間の高周波加熱調理または高周波と下部ヒーターの同時加熱調理を行った時、輻射電気ヒーター加熱設定の調理が行われなくても自動的に一定周期で輻射電気ヒーターへの短時間通電を繰り返すため、輻射電気ヒーターへの蒸気の蓄積が抑えられ、一定以上の絶縁抵抗が確保され、漏電を防止することが出来る。特に、多段で調理モードを変える場合も、常に一定周期で輻射電気ヒーターへの短時間通電を繰り返すため、輻射電気ヒーターに短時間でも通電サイクルが途切れることがなく、輻射電気ヒーターに蒸気が蓄積する可能性がない。
【００５８】
また、本発明によれば、高周波発振器を停止している間だけ、輻射電気ヒーターに通電を行うので、最大消費電力を押えることが出来る。
【００５９】
また、本発明によれば、加熱室内の湿度によって輻射電気ヒーターに通電制御するので、より確実に絶縁低下を防止できる。
【図面の簡単な説明】
【図１】本発明に係る輻射電気ヒーター付き電子レンジの構成図である。
【図２】本発明に係る輻射電気ヒーター付き電子レンジのブロック図である。
【図３】制御部の第１の制御手順を示すフローチャートである。
【図４】制御部の第２の制御手順を示すフローチャートである。
【図５】制御部の第３の制御手順を示すフローチャートである。
【図６】制御部の第４の制御手順を示すフローチャートである。
【図７】制御部の第４の制御手順の主要手順を示すフローチャートである。
【図８】ステップＳ８８のサブルーチンを示すフローチャートである。
【図９】図８に続くステップＳ８８のサブルーチンを示すフローチャートである。
【図１０】図８に続くステップＳ８８のサブルーチンを示すフローチャートである。
【図１１】制御例１のタイミングチャートである。
【図１２】制御例２のタイミングチャートである。
【図１３】制御例３のタイミングチャートである。
【図１４】制御例４のタイミングチャートである。
【図１５】制御例５のタイミングチャートである。
【図１６】制御例６のタイミングチャートである。
【図１７】従来の輻射電気ヒーター付き電子レンジを示す斜視図である。
【図１８】グリルヒーターを示す構造図であり、（ａ）は正面図、（ｂ）は平面図である。
【符号の説明】
１０　電子レンジ
１１　本体
１２　加熱室
１３　パンチング穴
１６　湿度センサー
２０　グリルヒーター
２１　金属容器
２２　基層
２３　輻射電気発熱エレメント
２５　操作部
２６　制御部
２７　高周波発振器
３１　下部ヒーター
５０　従来の電子レンジ
【図１】
2004100987.tif 000003
【図２】
2004100987.tif 000004
【図３】
2004100987.tif 000005
【図４】
2004100987.tif 000006
【図５】
2004100987.tif 000007
【図６】
2004100987.tif 000008
【図７】
2004100987.tif 000009
【図８】
2004100987.tif 000010
【図９】
2004100987.tif 000011
【図１０】
2004100987.tif 000012
【図１１】
2004100987.tif 000013
【図１２】
2004100987.tif 000014
【図１３】
2004100987.tif 000015
【図１４】
2004100987.tif 000016
【図１５】
2004100987.tif 000017
【図１６】
2004100987.tif 000018
【図１７】
2004100987.tif 000019
【図１８】
2004100987.tif 000020